(57)【要約】【課題】従来の構成においては、上下２段の本体をどのようにして運転させるのかについて全く考慮されていなかった。そのため、例えば、深夜電力を利用し複数の本体を同時に運転しようとすると、単体運転時と比較し、騒音レベルが大きくなるという問題があった。【解決手段】食器を収納する洗浄槽を有する本体を複数有するものにおいて、１の本体の運転が任意の行程に移行してから他の本体の運転を開始するようにした。【選択図】　図４
2004065704.tif 000002
【特許請求の範囲】
【請求項１】
食器を収納する洗浄槽を有する本体を複数有し、該複数の本体のそれぞれに食器洗い機の運転を制御する制御手段を有する食器洗い機において、１つの制御方法として、該本体の運転が任意の行程に移行してから別本体の運転を開始する運転制御を有することを特徴とする食器洗い機。
【請求項２】
請求項１において、
前記本体が乾燥行程に移行してから別本体の運転を開始する運転制御を有することを特徴とする食器洗い機。
【請求項３】
請求項１において、
設定されたコースが設定時間内に終了しないと判定した場合、該本体が乾燥行程に移行する前に別本体の運転を開始することを特徴とする食器洗い機。
【請求項４】
請求項１において、
設定されたコースが設定時間内に終了しないと判定した場合、別本体の運転において乾燥行程を省略することを特徴とする食器洗い機。
【請求項５】
請求項１において、
設定されたコースが設定時間内に終了しないと判定した場合、別本体の運転において乾燥行程を送風運転のみとすることを特徴とする食器洗い機。
【請求項６】
請求項１において、
１つの設定として該本体の乾燥行程と別本体の乾燥行程を送風運転とすることを特徴とする食器洗い機。
【発明の詳細な説明】
【０００１】
【発明の属する技術分野】
本発明は、食器洗い機に関するものである。
【０００２】
【従来技術】
従来の食器洗い機は、例えば特許第３２１５４２２号公報に記載のように、食器を収納する洗浄槽を有する本体を上下２段に重ねて使用する食器洗い機が提案されている。
【０００３】
【発明が解決しようとする課題】
しかしながら、上記従来の構成においては、上下２段の本体をどのようにして運転させるのかについて全く考慮されていなかった。そのため、例えば、深夜電力を利用し複数の本体を同時に運転しようとすると、単体運転時と比較し、騒音レベルが大きくなるという問題があった。特に複数の本体の各々が洗浄行程を同時に行っている場合、それが顕著である。
【０００４】
また、深夜電力を利用し運転を行う場合、契約時間の設定が有る為、時間内に運転を終了する必要が有る。特にヒータ通電等電力消費が大きな運転は契約時間内に終了する必要があるため、複数の本体を同時運転しなければならなかった。
【０００５】
そこで、本発明の目的は、上記課題を解決し、複数の食器洗い機を同時に運転した場合において騒音の発生を抑えた食器洗い機を提供することにある。
【０００６】
【課題を解決するための手段】
本発明は、食器を収納する洗浄槽を有する本体を複数有し、該複数の本体のそれぞれに食器洗い機の運転を制御する制御手段を有する食器洗い機において、１つの制御方法として、該本体が乾燥行程に移行してから別本体の運転を開始する運転制御を有することを特徴とする。
【０００７】
また、設定されたコースが設定時間内に終了しないと判定した場合、該本体が乾燥行程に移行する前に別本体の運転を開始する、または乾燥行程を省略あるいは乾燥行程を送風運転のみとすることを特徴とする。
【０００８】
【発明の実施の形態】
実施例では、洗浄槽を有する本体、食器洗い機の運転を制御する制御手段を２個使用し上下２段式の食器洗い機について、以下、本発明を、図１から図４を用いて説明する。
【０００９】
図１は、システムキッチンに組み込んだ食器洗い機の斜視図である。食器を収納する２つの洗浄槽ユニット１００，１２０を上下２段に積み重ねるように組み合わせた状態にシステムキッチン１３０に組み込んだ構成である。
【００１０】
２つの洗浄槽ユニット１００，１２０は、その殆どを同一構成にしているので、共通する構成については、上段に位置する洗浄槽ユニット１００を例示して、構成を説明する。
【００１１】
洗浄槽ユニット１００は、引き出し式の洗浄槽１０１をケース１０２内に進退可能に収容し、引き出した状態で食器の出し入れや洗剤投入を行い、押し込んだ状態で（洗い、すすぎ、乾燥）を行う。洗浄槽１０１の前側面に取り付けられた前面パネル１０３は、この前面パネル１０３の前縁面に設けた操作パネル１０４と上端面に設けた操作パネル１０５を備える。
【００１２】
この洗浄槽ユニット１００の具体的な組み立て構造を図２を用いて説明する。食器を収納する洗浄槽１０１は、食器かご２０２、水溜部２０３、回転ノズル２０６、電動機（ブラシレスモータ）２０１、送風装置２０５，水温を加熱するヒータ２０９等から、上下２段にて構成されている。
【００１３】
洗浄を行う場合は、電動機（ブラシレスモータ）２０１（以下ブラシレスモータ）を正回転に回転させ、水溜め部２０３内の水を洗浄ポンプ羽根２０８により回転ノズル２０６から上向きに噴射させる。排水を行う場合は、ブラシレスモータ２０１を逆回転に回転させ排水ポンプ羽根２０７により排水ポンプ機能を発揮させ排水させる。この時、洗浄ポンプ羽根２０８は機能しない。
【００１４】
また、洗浄槽内には、回転ノズル２０６の上方に位置するように食器かご２０２を設置する。
【００１５】
ここで、本発明の食器洗い機の制御について図３の制御ブロック図をもとに説明する。この制御装置３００は、上段の洗浄槽ユニット１００における従来のような食器洗浄制御を実行する制御系３０１と下段の洗浄槽ユニット１２０における調理器具または食器洗浄制御を実行する制御系３０２を備える。各制御系３０１，３０２は、それぞれマイクロコンピュータ３０３，３０４を中心にして同様に構成するので、ここでは、制御系３０１について説明する。
【００１６】
マイクロコンピュータ３０３は、前記操作パネル１０４，１０５のスイッチである操作パネルスイッチ３０５からの操作入力に従って、プログラムを実行して食器洗い機の洗い、水すすぎ、温水すすぎ、乾燥の各行程を実行する。
【００１７】
そのために、マイクロコンピュータ３０３は、洗浄液の水位を感知する水位センサ３１１，ドアセンサ３１０，洗浄液の温度を感知する水温センサ３０９，ヒータ過熱センサ３０６からの検知信号を入力し、給水電磁弁３１４と、前記ヒータ２０９と、前記ブラシレスモータ２０１と、前記送風装置２０５と、前記操作パネル１０４，１０５に設けた表示器３１３とブザー３１２を制御する。
【００１８】
そして、マイクロコンピュータ３０３は、洗い行程では、給水電磁弁３１４を開いて所定水位までの給水を実行し、ブラシレスモータ２０１を正回転（洗浄モード）で運転して洗浄ポンプ羽根２０８を回転させることにより、洗浄槽１０１の水溜部２０３から洗浄液を吸い上げて回転ノズル２０６に供給し、食器かご２０２に向けて噴射して食器洗いや調理器具洗いを実行する。
【００１９】
洗浄液は、ヒータ２０９に通電して加熱する。洗い行程が終了すると、ブラシレスモータ２０１を逆回転（排水モード）として排水ポンプ羽根２０７を機能させて洗浄槽１０１内の洗浄液を排水する。
【００２０】
すすぎ行程では、給水電磁弁３１４を開いて所定水位まですすぎ水を給水し、ブラシレスモータ２０１を正回転（洗浄モード）で運転して洗浄ポンプ羽根２０８を回転させることにより、洗浄槽１０１の水溜部２０３からすすぎ水を吸い上げて回転ノズル２０６に供給し、食器かご２０２に向けて固定時間噴射して食器洗いや調理器具のすすぎを実行する。
【００２１】
すすぎ行程が終了すると、ブラシレスモータ２０１を逆回転（排水モード）として排水ポンプ羽根２０７を機能させて洗浄槽１０１内のすすぎ水を排水する。温水すすぎ行程では、給水電磁弁３１４を開いて所定水位まですすぎ水を給水し、ブラシレスモータ２０１を正回転（洗浄モード）で運転して洗浄ポンプ羽根２０８を回転させることにより、洗浄槽１０１の水溜部２０３からすすぎ水を吸い上げて回転ノズル２０６に供給し、食器かご２０２に向けて噴射し、ヒータ２０９に通電してすすぎ水を指定温度まで加熱する、食器洗いや調理器具の温水すすぎを実行する。
【００２２】
温水すすぎ行程が終了すると、ブラシレスモータ２０１を逆回転（排水モード）として排水ポンプ羽根２０７を機能させて洗浄槽１０１内のすすぎ水を排水する。このすすぎ水の排水も洗浄液の排水と同様に行う。
【００２３】
乾燥行程では、送風装置２０５により送風し、ヒータ２０９で加熱して温風乾燥を実行する。
【００２４】
上段の食器洗浄槽ユニット１００の制御系３０１は、従来の食器洗い機と同様な食器洗浄制御を実行する。本実施例の形態は、二つの制御系３０１，３０２を有しており、これらは、通信線３５０で接続されている。
【００２５】
ここで、食器洗い機の各行程における騒音レベルについて説明すると、通常、洗い、すすぎ、温水すすぎ行程にて騒音レベルが最も大きくなる。これは、主に回転ノズル２０６より噴射された水の洗浄槽１０１等への水当たり音とブラシレスモータ２０１の動作音による為である。
【００２６】
よって、上段と下段の食器洗い機において、洗い、すすぎ行程の運転が同時に動作した場合、単体運転時と比較してさらに騒音レベルが大きくなる。
【００２７】
そこで、本発明の１実施例の行程を図４に示す。深夜電力利用時に上段と下段の食器洗い機を同時に動作するよう設定された場合は、図４に示す行程のように、上段の食器洗い機の洗い、すすぎ行程が終了し乾燥行程に移行してから下段の食器洗い機の運転を行う（上記の場合、上段食器洗い機の乾燥行程動作時のみ同時運転となる）。乾燥行程での騒音レベルは、主に送風装置２０５の送風音であり、洗い、すすぎ行程時の騒音レベルと比較し小さいため、上段の食器洗い機が乾燥行程に移行してから下段の食器洗い機の運転を行うことで、同時運転においても、騒音レベルは下段の食器洗い機洗い行程単体運転時とほぼ同等の大きさとなり、且つ上段の食器洗い機が運転終了してから下段の食器洗い機を運転するよりも、運転時間を短縮できる（図４における行程は、下段の食器洗い機から運転を開始しても良い）。
【００２８】
また、深夜電力を利用した運転を行う場合、深夜電力契約時間が決められている為、設定されたコースが契約時間内に終了しない（室温、水温、設定コース等による）と判定した時は、上段の食器洗い機の運転が乾燥行程に移行してなくても、下段の食器洗い機の運転を開始する。もしくは、下段の食器洗い機の乾燥行程を省略する。
【００２９】
さらに、深夜電力を利用した運転を行う場合、契約時間が通常の運転時間より長く設定されている為、乾燥行程を送風運転とし運転時間を長く設定すれば、乾燥性能を損なうことなく、乾燥行程時のヒータ２０９の通電が無くす分、省エネを図ることができる。
【００３０】
【発明の効果】
以上に述べたように本発明によれば、上下２段式の食器洗い機において、食器と調理器具を分けて洗うことが出来、深夜電力利用時に騒音レベルを抑え、顧客の使い勝手のよい食器洗い機を提供することが出来る。
【図面の簡単な説明】
【図１】本発明の実施形態にかかるもので、食器洗い機の斜視図である。
【図２】本発明の実施形態にかかるもので、洗浄槽ユニットの具体的な組み立て構造である。
【図３】本発明の実施形態にかかるもので、制御ブロック図である。
【図４】本発明の実施形態にかかるもので、１実施例の運転制御行程である。
【符号の説明】
１０１…洗浄槽、２０２…食器かご、２０１…ブラシレスモータ、２０６…回転ノズル、２０７…排水ポンプ羽根、２０８…洗浄ポンプ羽根、２０９…ヒータ、３００…制御装置、３０５…操作パネルスイッチ。
【図１】
2004065704.tif 000003
【図２】
2004065704.tif 000004
【図３】
2004065704.tif 000005
【図４】
2004065704.tif 000006